【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  データの処理のために選択されたコンピュータ機能を識別する第１識別工程と、
前記データのソース・ロケーションを識別する第２識別工程と、
前記データのソース・ロケーションが前記選択された機能の実行にとって適切であるかどうかをチェックして、前記ソース・ロケーションが適切でなければ、前記機能を前記データに対して実行せず、前記ソース・ロケーションが適切であれば、前記機能を前記データに対して実行するチェック工程とを含むことを特徴とするコンピュータ機能制御方法。
【請求項２】  前記ソース・ロケーションが、コンピュータ・ネットワークを介してアクセス可能なデータのユニフォーム・リソース・ロケータであることを特徴とする請求項１に記載のコンピュータ機能制御方法。
【請求項３】  前記チェック工程は、前記ソース・ロケーションが、前記データの前記機能による処理を可能にする所定のソース・ロケーション・グループの１つであるか否かを識別する工程を含むことを特徴とする請求項１に記載のコンピュータ機能制御方法。
【請求項４】  前記チェック工程は、前記ソース・ロケーションが、前記データの前記機能による処理を不可能にする所定のソース・ロケーション・グループの１つであるか否かを識別する工程を含むことを特徴とする請求項１に記載のコンピュータ機能制御方法。
【請求項５】  前記選択される機能が、前記データの印刷を含むことを特徴とする請求項１乃至４のいずれか１つに記載のコンピュータ機能制御方法。
【請求項６】  拡張されたコンピュータ・ネットワークの一部を構成するコンピュータシステムの印刷機能を制御する印刷機能制御方法であって、
前記ネットワークからアプリケーションプログラムをアクセスし、前記コンピュータシステムを使用しながら前記アプリケーションプログラムを動作させて、前記ネットワーク内の１つ以上のソース・ロケーションから得た情報構成要素を含む印刷可能な文書を作成する工程と、
前記印刷可能な文書の印刷を支援するために呼び出された前記アプリケーションプログラムを用いて印刷機能の選択を識別する工程と、
前記印刷可能な文書の各々の構成要素のソース・ロケーションを識別する工程と、
次いで、各々の識別されたソース・ロケーションに対して、該ソース・ロケーションがソース・ロケーションの所定のグループ中の適切なロケーションであるか否かをチェックし、もし適切であれば該ソース・ロケーションに対応する構成要素の印刷を可能にし、適切でなければ構成要素の印刷を省略する工程とを含むことを特徴とする印刷機能制御方法。
【請求項７】  データの処理のために選択されたコンピュータ機能を識別するための第１識別手段と、
前記データのソース・ロケーションを識別する第２識別手段と、
前記データのソース・ロケーションが前記選択された機能の実行にとって適切であるか否かをチェックするチェック手段であって、前記ソース・ロケーションが適切でなければ、前記機能を前記データに対して実行せず、前記ソース・ロケーションが適切であれば、前記機能を前記データに対して実行する前記チェック手段とを有することを特徴とするコンピュータ機能制御装置。
【請求項８】  拡張コンピュータ・ネットワークの一部を形成するコンピュータシステムの印刷機能を制御する印刷機能制御装置であって、
前記ネットワークからアプリケーションプログラムにアクセスし、前記コンピュータシステムを使用しながら前記アプリケーションプログラムを動作させて、前記ネットワーク内での１つ以上のソース・ロケーションから得た情報構成要素を含む印刷可能な文書を作成するアクセス手段と、
前記印刷可能な文書の印刷を支援するために呼び出された前記アプリケーションプログラムを用いて印刷機能の選択を識別する識別手段と、
前記印刷可能な文書の各々の構成要素のソース・ロケーションを識別する識別手段と、
各々の識別されたソース・ロケーションに対して、該ソース・ロケーションが所定のソース・ロケーション・グループの適切なロケーションであるか否かをチェックし、適切であれば該ソース・ロケーションに対応する構成要素の印刷を可能にし、適切でなければ構成要素の印刷を省略するチェック手段とを有することを特徴とする印刷機能制御装置。
【請求項９】  コンピュータ機能の制御用コンピュータプログラムが記録されたコンピュータ可読媒体を含むコンピュータプログラム製品であって、
データの処理のために選択されたコンピュータ機能を識別するための第１識別手段と、
前記データのソース・ロケーションを識別する第２識別手段と、
前記データのソース・ロケーションが前記選択された機能の実行にとって適切であるか否かをチェックするチェック手段であって、前記ソース・ロケーションが適切でなければ前記機能を前記データに対して実行せず、前記ソース・ロケーションが適切であれば前記機能を前記データに対して実行する、前記チェック手段とを有することを特徴とするコンピュータプログラム製品。
【請求項１０】  前記ソース・ロケーションが、コンピュータ・ネットワークを介してアクセス可能なデータのユニフォーム・リソース・ロケータであることを特徴とする請求項９に記載のコンピュータプログラム製品。
【請求項１１】  前記チェック手段は、前記ソース・ロケーションが、前記データの前記機能による処理を可能にする所定のソース・ロケーション・グループの１つであるか否かを識別する識別手段を含むことを特徴とする請求項９に記載のコンピュータプログラム製品。
【請求項１２】  前記チェック手段は、前記ソース・ロケーションが、前記データの前記機能による処理を不可能にする所定のソース・ロケーション・グループの１つであるか否かを識別する識別手段を含むことを特徴とする請求項９に記載のコンピュータプログラム製品。
【請求項１３】  前記選択される機能が、前記データの印刷を含むことを特徴とする請求項９乃至１２のいずれか１つに記載のコンピュータプログラム製品。
【請求項１４】  拡張コンピュータ・ネットワークの一部を形成するコンピュータシステムにおいて印刷機能を制御するためのコンピュータプログラムが記録されたコンピュータ可読媒体が含まれるコンピュータプログラム製品であって、
前記ネットワークからアプリケーションプログラムにアクセスし、前記コンピュータシステムを使用しながら前記アプリケーションプログラムを動作させて、前記ネットワーク内の１つ以上のソース・ロケーションから得た情報構成要素を含む印刷可能な文書を作成するためのアクセス手段と、
前記印刷可能な文書の印刷を支援するために呼び出された前記アプリケーションプログラムを用いて印刷機能の選択を識別する識別手段と、
前記印刷可能な文書の各々の構成要素のソース・ロケーションを識別する識別手段と、
各々の識別されたソース・ロケーションに対して、該ソース・ロケーションが所定のソース・ロケーション・グループの適切なロケーションであるか否かをチェックし、適切であれば該ソース・ロケーションに対応する構成要素の印刷を可能にし、適切でなければ構成要素の印刷を省略するチェック手段とを含むことを特徴とするコンピュータプログラム製品。
【手続補正２】
【補正対象書類名】明細書
【補正対象項目名】０００７
【補正方法】変更
【補正の内容】
【０００７】
【課題を解決するための手段】
上記課題を達成するために、本発明のコンピュータ機能制御方法は、データの処理のために選択されたコンピュータ機能を識別する第１識別工程と、前記データのソース・ロケーションを識別する第２識別工程と、前記データのソース・ロケーションが前記選択された機能の実行にとって適切であるかどうかをチェックして、前記ソース・ロケーションが適切でなければ、前記機能を前記データに対して実行せず、前記ソース・ロケーションが適切であれば、前記機能を前記データに対して実行するチェック工程とを含むことを特徴とする。
【手続補正３】
【補正対象書類名】明細書
【補正対象項目名】０００９
【補正方法】変更
【補正の内容】
【０００９】
又、本発明のコンピュータ機能制御装置は、データの処理のために選択されたコンピュータ機能を識別するための第１識別手段と、前記データのソース・ロケーションを識別する第２識別手段と、前記データのソース・ロケーションが前記選択された機能の実行にとって適切であるか否かをチェックするチェック手段であって、前記ソース・ロケーションが適切でなければ、前記機能を前記データに対して実行せず、前記ソース・ロケーションが適切であれば、前記機能を前記データに対して実行する前記チェック手段とを有することを特徴とする。